(57)【要約】  本発明は、遠心圧縮機を開示し、この遠心圧縮機は、圧縮機ヘッド、モータ、冷却器、支持フレーム、支持ビーム、及びシャーシを備える。冷却器及び支持フレームは、シャーシ上に固定的に取り付けられる。支持ビームは、冷却器及び支持フレームの上に配置される。支持フレームは、支持ビームを支持する。圧縮機ヘッド及びモータは、支持ビームの上に配置される。圧縮機ヘッド及びモータは、支持ビーム上に固定的に取り付けられる。
2019515185.tif 000002
【特許請求の範囲】
【請求項１】
圧縮機ヘッド、モータ、冷却器、支持フレーム、支持ビーム、及びシャーシを備える遠心圧縮機であって、
前記冷却器及び前記支持フレームは、前記シャーシ上に固定的に取り付けられ、
前記支持ビームは、冷却器及び前記支持フレームの上に配置され、前記支持フレームは、前記支持ビームを支持し、
前記圧縮機ヘッド及び前記モータは、前記支持ビームの上に配置され、さらに前記支持ビーム上に固定的に取り付けられる、ことを特徴とする遠心圧縮機。
【請求項２】
第１の制振パッドが、前記支持フレームと前記支持ビームとの間に設けられ、前記第１の制振パッドは、前記支持フレーム及び前記支持ビームにそれぞれ固定的に結合される、請求項１に記載の遠心圧縮機。
【請求項３】
第２の制振パッドが、前記冷却器と前記支持ビームとの間に設けられ、前記第２の制振パッドは、前記冷却器及び前記支持ビームにそれぞれ固定的に結合される、請求項２に記載の遠心圧縮機。
【請求項４】
前記第２の制振パッドは、前記支持ビームに溶接されかつボルトを用いて前記第２の制振パッドに固定的に結合された支持コネクタを用いて前記支持ビームに固定的に結合される、請求項３に記載の遠心圧縮機。
【請求項５】
前記シャーシ上に固定的に取り付けられたオイルタンクをさらに備える、請求項１に記載の遠心圧縮機。
【発明の詳細な説明】
【技術分野】
【０００１】
本発明は、遠心圧縮機、特に共振を防ぐことができる遠心圧縮機に関する。
【背景技術】
【０００２】
遠心圧縮機は、圧縮機ヘッド、モータ、冷却器、オイルタンク、シャーシ、及び他の主要構成要素を備える。米国特許公開２００８／０１１２８２５及び米国特許公開２０１２／００１４６０１に開示されているように、冷却器、オイルタンク、及びシャーシに剛結合された圧縮機ヘッド及びモータは、遠心圧縮機の駆動系（ｄｒｉｖｅ  ｃｈａｉｎ）である。既定の固定電力部を備えたモータだけが遠心圧縮機に適合する。米国特許公開２０１５／０１０７３８０には、一方向、つまりモータの軸方向に対して直交する水平方向だけで、モータのみの振動を抑制するためのマウントユニットが開示される。遠心圧縮機の作動時、完成機械の固有周波数は、５０−６０Ｈｚの区間を避けることができないので、共振問題が生じる可能性がある。さらに、共振の発生後、完成機械の固有周波数は、構造を変更することで改善することはできないので、解決できない共振問題につながる。
【先行技術文献】
【特許文献】
【０００３】
【特許文献１】米国特許公開２００８／０１１２８２５
【特許文献２】米国特許公開２０１２／００１４６０１
【特許文献３】米国特許公開２０１５／０１０７３８０
【発明の概要】
【発明が解決しようとする課題】
【０００４】
上記の問題を解決するために、本発明は、作動時に共振を防ぐことができる遠心圧縮機を提供する。
【課題を解決するための手段】
【０００５】
上記の目的を実現するために、本発明の遠心圧縮機は、圧縮機ヘッド、モータ、冷却器、支持フレーム、支持ビーム、及びシャーシを備える。冷却器及び支持フレームは、シャーシ上に固定的に取り付けられる。支持ビームは、冷却器及び支持フレームの上に配置される。支持フレームは、支持ビームを支持する。圧縮機ヘッド及びモータは、支持ビームの上に配置される。圧縮機ヘッド及びモータは、支持ビーム上に固定的に取り付けられる。
【０００６】
好ましくは、第１の制振パッドが、支持フレームと支持ビームとの間に設けられる。第１の制振パッドは、支持フレーム及び支持ビームにそれぞれ固定的に結合される。
【０００７】
好ましくは、第２の制振パッドが、冷却器と支持ビームとの間に設けられる。第２の制振パッドは、冷却器及び支持ビームにそれぞれ固定的に結合される。
【０００８】
好ましくは、第２の制振パッドは、支持コネクタを用いて支持ビームに固定的に結合される。支持コネクタは支持ビームに溶接される。支持コネクタは、ボルトを用いて第２の制振パッドに固定的に結合される。
【０００９】
好ましくは、本発明の遠心圧縮機は、また、シャーシ上に固定的に取り付けられたオイルタンクを備える。
【００１０】
支持ビーム、第１の制振パッド、及び第２の制振パッドを追加することで、本発明の遠心圧縮機は、振動を遮断し、駆動系の振動がシャーシ上に伝達されるのを防ぎ、同時に外部振動の駆動系上への振動作用を遮断することができる。本発明の遠心圧縮機は、共振問題を防ぎ、完成機械の耐用年数を延ばす。
【図面の簡単な説明】
【００１１】
【図１】本発明の遠心圧縮機の概略図である。
【図２】図１の正面図である。
【図３】図１の背面図である。
【図４】図１の右側面図である。
【発明を実施するための形態】
【００１２】
本発明の実施形態は、図面を参照して以下に説明される。
図１−４に示すように、本発明の遠心圧縮機は、圧縮機ヘッド１、モータ２、冷却器３、支持フレーム４、支持ビーム５、及びシャーシ６を備える。冷却器３及び支持フレーム４は、シャーシ６に対して固定的に取り付けられている。このような固定的な取り付けは、ボルトによって実現することができる。もちろん、支持フレーム４は、溶接によってシャーシ６上に固定することができる。支持ビーム５は、冷却器３及び支持フレーム４の上に配置されており、冷却器３及び支持フレーム４は支持ビーム５とシャーシ６との間にある。支持ビーム５は、冷却器３及び支持フレーム４によって支持される。
【００１３】
当業者であれば、支持ビーム５は、支持フレーム４によって直接支持できること、すなわち冷却器３の上部が支持ビームに結合する必要がないことを理解できる。
【００１４】
第１の制振パッド９は、支持フレーム４と支持ビーム５との間に設けられている。第２の制振パッド８は、冷却器３と支持ビーム５との間に設けられている。第１の制振パッド９は、支持フレーム４及び支持ビーム５にそれぞれ固定的に結合されている。第２の制振パッド８は、冷却器３及び支持ビーム５にそれぞれ固定的に結合されている。図３に示すように、固定的な結合は、ボルトによって実現することができる。
【００１５】
取り付けを容易にするために、第２の制振パッド８は、図１及び２に示すように、支持コネクタ１０を用いて支持ビーム５に固定的に結合することが好ましい。支持コネクタ１０は、支持ビーム５に溶接され、さらにボルトを用いて制振パッド８に固定的に結合される。
【００１６】
第１の制振パッド９及び第２の制振パッド８は、制振特性を有する金属ワイヤによって圧力を掛けること、又はゴム、プラスチック、ポリウレタンなどの制振特性を有する非金属材料から作ることができる。第１の制振パッド９及び第２の制振パッドの数は、必要に応じて決めることができる。
【００１７】
圧縮機ヘッド１及びモータ２は、支持ビーム５の上に配置される。圧縮機ヘッド１及びモータ２は、支持ビーム５の上に固定的に取り付けられ、固定的な取り付けは、ボルトによって実現することができる。
【００１８】
支持ビーム５を追加して、冷却器３、支持フレーム４、及び支持ビーム５の間に第２の制振パッド８及び第１の制振パッド９を設けることで、本発明の遠心圧縮機は、振動を遮断し、駆動系（すなわち圧縮機ヘッド１及びモータ２）の振動がシャーシ６上に伝達されるのを防ぎ、同時に外部振動の駆動系上への振動作用を遮断することができる。上記の構成の使用は、共振問題を防ぎ、広範な電力部を備えるモータに適応する。さらに、完成機械の固有周波数が、５０−６０Ｈｚの区間を避けるのを保証する。
【００１９】
本発明の遠心圧縮機は、また、シャーシ６上に固定的に取り付けられたオイルタンク７を備える。支持ビーム５の導入は、オイルタンク７を切り離し、オイルタンクはもはや支持部材として使用されず、その設計が単純化される。
【００２０】
上述のように、本発明の例示的な実施形態は、図面を参照して詳細に説明されている。本発明は、保護範囲がこれらの詳細な内容に限定されることが意図されていないことを理解されたい。等価物又は類似の変更例は、本発明の精神及び範囲を逸脱することなく例示的な実施形態の構造及び特徴に対してもたらすことができ、これらの変更例は、本発明の請求項によって決まる保護範囲に包含されるものとする。
【図１】
2019515185.tif 000003
【図２】
2019515185.tif 000004
【図３】
2019515185.tif 000005
【図４】
2019515185.tif 000006
【手続補正書】
【提出日】平成30年11月6日(2018.11.6)
【手続補正１】
【補正対象書類名】特許請求の範囲
【補正対象項目名】全文
【補正方法】変更
【補正の内容】
【特許請求の範囲】
【請求項１】
圧縮機ヘッド（１）、モータ（２）、冷却器（３）、支持フレーム（４）、支持ビーム（５）、及びシャーシ（６）を備える遠心圧縮機であって、
前記冷却器（３）及び前記支持フレーム（４）は、前記シャーシ（６）上に固定的に取り付けられ、
前記支持ビーム（５）は、冷却器（３）及び前記支持フレーム（４）の上に配置され、前記支持フレーム（４）は、前記支持ビーム（５）を支持し、
前記圧縮機ヘッド（１）及び前記モータ（２）は、前記支持ビーム（５）の上に配置され、さらに前記支持ビーム（５）上に固定的に取り付けられ、
第１の制振パッド（９）が、前記支持フレーム（４）と前記支持ビーム（５）との間に設けられ、前記第１の制振パッド（９）は、前記支持フレーム（４）及び前記支持ビーム（５）にそれぞれ固定的に結合される、ことを特徴とする遠心圧縮機。
【請求項２】
第２の制振パッド（８）が、前記冷却器（３）と前記支持ビーム（５）との間に設けられ、前記第２の制振パッド（８）は、前記冷却器（３）及び前記支持ビーム（５）にそれぞれ固定的に結合される、請求項１に記載の遠心圧縮機。
【請求項３】
前記第２の制振パッド（８）は、前記支持ビーム（５）に溶接されかつボルトを用いて前記第２の制振パッド（８）に固定的に結合された支持コネクタ（１０）を用いて前記支持ビーム（５）に固定的に結合される、請求項２に記載の遠心圧縮機。
【請求項４】
前記シャーシ（６）上に固定的に取り付けられたオイルタンク（７）をさらに備える、請求項１に記載の遠心圧縮機。
【国際調査報告】
2019515185.tif 000007
2019515185.tif 000008
2019515185.tif 000009
2019515185.tif 000010
2019515185.tif 000011
2019515185.tif 000012